(57)【要約】 【課題】全体としてコンパクトな構成で、設計自由度が高く、分解・再組み立てが容易なアシスト機能を有するターボチャージャを提供する。【解決手段】アシストタービン４を、軸受装置３の軸方向外側、特に軸受装置３とコンプレッサ５との間に配置することにより、タービン部材４１と軸受部材３１、３２との干渉をなくしてアシストタービン４の設計自由度を確保することができる。また、アシストタービン４のタービン部材４１を、軸受部材３１、３２に何ら制約されることなく、シャフト６に組み付けることができるため、アシストタービン４を着脱自在に組み込むことが可能となり、分解・再組み立てが容易なターボチャージャ１を実現することができる。【選択図】  図１
2013221471.tif 000002
【特許請求の範囲】
【請求項１】
エンジンの排気ガスのもつエネルギーによって回転するタービンロータ（２１）を有する排気タービン（２）と、
前記タービンロータ（２１）により回転駆動されて前記エンジンの吸入空気を圧縮するコンプレッサインペラ（５１）を有するコンプレッサ（５）と、
前記タービンロータ（２１）と前記コンプレッサインペラ（５１）とを同軸に連結するシャフト（６）と、
前記シャフト（６）を回転自在に支承し、前記シャフト（６）のラジアル荷重を受容する複数の軸受部材（３１、３２）を有する軸受装置（３）と、
前記シャフト（６）を液圧によって回転駆動するタービン部材（４１）を有するアシストタービン（４）と
を備え、
前記アシストタービン（４）は、前記軸受装置（３）の軸方向外側において前記シャフト（６）上に配置され、前記タービン部材（４１）が前記シャフト（６）に結合されていることを特徴とするターボチャージャ（１）。
【請求項２】
請求項１に記載のターボチャージャ（１）において、
前記アシストタービン（４）は、前記コンプレッサ（５）と前記軸受装置（３）との間に配置されていることを特徴とするターボチャージャ（１）。
【請求項３】
請求項２に記載のターボチャージャ（１）において、
前記シャフト（６）は、一端が前記タービンロータ（２１）に固定され、他端に前記コンプレッサインペラ（５１）を着脱自在に結合できる結合手段（１３、６４）を有すると共に、前記軸受装置（３）より前記結合手段（１３、６４）側に小径部分（６２）を形成する段付部（６３）を有しており、
前記タービン部材（４１）および前記コンプレッサインペラ（５１）は、軸方向の一端側が前記段付部（６３）に位置決めされ、軸方向の他端側が前記結合手段（１３、６４）に位置決めされて、前記シャフト（６）の小径部分（６２）に嵌挿されていることを特徴とするターボチャージャ（１）。
【請求項４】
請求項３に記載のターボチャージャ（１）において、
前記結合手段（１３、６４）は、ねじ部（６４）と、このねじ部（６４）に螺着されるナット（１３）で構成されており、
前記シャフト（６）の小径部分（６２）に嵌挿された前記タービン部材（４１）および前記コンプレッサインペラ（５１）は、前記段付部（６３）に対し前記ナット（１３）により軸方向に締付固定されていることを特徴とするターボチャージャ（１）。
【発明の詳細な説明】
【技術分野】
【０００１】
本発明は、自動車のごとき車両に搭載されるエンジン過給システムに用いられるターボチャージャ、とりわけアシスト機能を有するターボチャージャに関する。
【背景技術】
【０００２】
(従来の技術）
一般的なターボチャージャは、排気タービンとコンプレッサとを同軸上に備えており、エンジンの排気ガスのもつエネルギーによってタービンロータを回転させ、このタービンロータにシャフトを介して連結されるコンプレッサインペラを回転させることにより、エンジンの吸入空気を圧縮して燃焼室へ過給し、この過給効果によりエンジンの出力向上を図る基本構成である。
【０００３】
しかしながら、エンジンのますますの高性能化要求により、上記のターボチャージャではエンジンの広範な運転領域において必ずしも充分な過給効果が得られないという問題が生じてきた。例えば、排気ガス量の少ない低回転運転領域、および急加速時のごとき過渡運転領域では、過給効果が不足する事態を招くとの指摘である。
【０００４】
そこで、このような問題に対処するため、過給効果が不足する運転領域に、コンプレッサを増速回転させる機能（アシスト機能）をターボチャージャに付加する手法が創案され、種々なアシスト付加手法が提案されてきた。とりわけ、有力な付加手法としては、特許文献１に開示されているように、油圧のごとき液圧駆動のアシストタービンをターボチャージャに組み込むことが挙げられる。
【０００５】
この特許文献１に記載のターボチャージャは、油を噴射するノズル部材（固定部材）および噴射される油圧により回転駆動されるタービン部材（回転部材）で構成されるアシストタービンを備え、このアシストタービンを軸受装置の内部に組み込んでいるもので、次のごとき具体的な構造を有している。
軸受装置は、排気タービンとコンプレッサとを同軸に連結するシャフトを回転自在に支承し、このシャフトのラジアル荷重を受容するために、軸方向に離間させて配置する一対の軸受部材と、この軸受部材を保持する軸受ハウジングとを有する基本構成である。そこで、この軸受装置にアシストタービンを組み込むに当たり、固定側のノズル部材を軸受ハウジングに取付固定すると共に、回転側のタービン部材を一対の軸受部材間においてシャフトに取付固定している。かくして、必要時に高圧噴射される油でアシストタービンを回転させることにより、コンプレッサの回転を上昇させるアシスト機能を発揮し、過給不足を解消する。
【０００６】
（従来技術の問題点）
ところが、上記のアシストタービン付きターボチャージャは、実用面で次のような問題がある。
（１）軸受ハウジングに保持されている一対の軸受部材の間にタービン部材を配置しているため、タービン部材をあらかじめシャフトに圧入固定した状態で、当該シャフトを軸受ハウジング内に装入せねばならない関係上、タービン部材の外径が制約される。つまり、タービン部材の外径は、軸受部材の組付けを後工程にするにしても、軸受ハウジングの軸受保持用孔の内径より大きくすることができず、タービン部材の径で性能が支配されるアシストタービンの設計自由度が低くならざるを得ない。
（２）アシストタービンを軸受装置に組み込んだ後には、当該アシストタービンを取り外すことができず、ターボチャージャ全体としての分解・再組み立てが事実上不可能となるため、ターボチャージャの最終組付工程（サブアッシ段階）で実施される回転バランス調整作業において不合格となった場合には、分解・再組み立てができずそのまま死蔵品として扱わざるを得ない。また、市場で故障や経年劣化・損耗により修理や部品交換が必要な場合にも、修理や部品交換に応じることができない。
【０００７】
なお、上記問題を解決するために、軸受装置やアシストタービンの全体構成を部品点数の多い複雑な構造にすることは、回転アンバランス要因の増加による回転バランス調整工数や部品点数の増加による組付工数の増大などを招き、ターボチャージャのコンパクト化・低コスト化に反することになる。
【先行技術文献】
【特許文献】
【０００８】
【特許文献１】特開昭６１−７２８３４号公報
【発明の概要】
【発明が解決しようとする課題】
【０００９】
本発明は、上記の事情に鑑みてなされたものであって、その目的は、アシストタービンの配置を工夫することにより、全体としてコンパクトな構成で、アシストタービンの設計自由度が高く、アシストタービン等の分解・再組み立てが容易なターボチャージャを提供することにある。
【課題を解決するための手段】
【００１０】
［請求項１の手段］
請求項１に記載の発明によれば、ターボチャージャは、エンジンの排気ガスのもつエネルギーによって回転するタービンロータを有する排気タービンと、タービンロータにより回転駆動されてエンジンの吸入空気を圧縮するコンプレッサインペラを有するコンプレッサと、タービンロータとコンプレッサインペラとを同軸に連結するシャフトと、シャフトを回転自在に支承し、シャフトのラジアル荷重を受容する複数の軸受部材を有する軸受装置と、シャフトを液圧によって回転駆動するタービン部材を有するアシストタービンとを備えるものであって、アシストタービンが、軸受装置の軸方向外側においてシャフト上に配置されており、このシャフトにタービン部材が結合されていることを特徴としている。
【００１１】
このような構成にすることにより、アシストタービンは、軸受装置の構成部品（軸受部材）と何ら干渉することがないため、アシストタービン自体の設計を、軸受装置によって制約を受けることなく、自由に行うことができる。
また、アシストタービンを着脱自在に組み込むことができるため、ターボチャージャ全体の分解・再組み立てを可能とし、製作過程での部品の交換組付け、市場での修理・部品交換も容易に行うことができる。しかも、アシストタービンを着脱自在化するために特別な追加部品を要しなく、回転アンバランス要因の増加による回転バランス調整工数や部品点数の増加による組付工数の増大などを招くこともなく、コンパクトで低コストのターボチャージャを実現することができる。
【図面の簡単な説明】
【００１２】
【図１】本発明の実施例１によるターボチャージャの全体構成を示す模式的縦断面図である。
【図２】図１に示すターボチャージャの主要部（サブアッシ）の模式的部分縦断面図である。
【図３】図２に示す主要部（サブアッシ）の組付過程の説明に供する模式的分解図である。
【発明を実施するための形態】
【００１３】
本発明を実施するための最良の形態は、エンジンの排気ガスのもつエネルギーによって回転するタービンロータを有する排気タービンと、タービンロータにより回転駆動されてエンジンの吸入空気を圧縮するコンプレッサインペラを有するコンプレッサと、タービンロータとコンプレッサインペラとを同軸に連結するシャフトと、シャフトを回転自在に支承し、シャフトのラジアル荷重を受容する複数の軸受部材を有する軸受装置と、シャフトを液圧によって回転駆動するタービン部材を有するアシストタービンとを備えたターボチャージャであって、アシストタービンが、軸受装置の軸方向外側においてシャフト上に配置されており、このシャフトにタービン部材が結合されている。
また、アシストタービンは、特に、コンプレッサと軸受装置との間に配置されている。
そして、シャフトは、一端がタービンロータに固定され、他端にコンプレッサインペラを着脱自在に結合できる結合手段を有すると共に、軸受装置より結合手段側に小径部分を形成する段付部を有しており、コンプレッサインペラおよびタービン部材は、軸方向の一端側が段付部に位置決めされ、軸方向の他端側が結合手段に位置決めされて、シャフトの小径部分に嵌挿されている。
なお、結合手段は、ねじ部と、このねじ部に螺着されるナットで構成されている。
【実施例】
【００１４】
以下、図面を参照して本発明の具体的な実施形態について説明する。
【００１５】
［実施例１］
図１〜図３は、本発明の実施例１を説明するためのもので、まず、図１および図２に基づいて本発明が適用されたターボチャージャの全体構成を概説したのち、図３に基づいて本発明の特徴部分を詳説する。なお、図１において、矢印の「天方向、地方向」は、エンジンに搭載された状態での方向を指しており、矢印の「右、左」は、図示の状態を正面としての左右の方向を指している。
【００１６】
（構成）
ターボチャージャ１は、図１に示すように、排気タービン２、軸受装置３、アシストタービン４、およびコンプレッサ５の各機器を主要構成要素として備えている。これらの機器は、同一のシャフト６上において、一端側（右端側）に排気タービン２、他端側（左端側）にコンプレッサ５を位置させて軸方向に順次配置されている。なお、ターボチャージャ１の中枢部分は、後述する組付過程に従って図２に示すサブアッシ１Ａとして組み立てられている。
【００１７】
排気タービン２は、図示しないエンジンの排気ガスのもつエネルギーによって回転駆動されるもので、タービンロータ２１と、このタービンロータ２１を収納するタービンハウジング２２とから構成されている。
タービンロータ２１は、周方向に複数枚のタービンブレード２１ａが配置され、中央のボス部２１ｂでシャフト６の一端に固定されている。ボス部２１ｂは多角ボルト状頭部２１ｃを有している。
タービンハウジング２２は、タービンロータ２１を取り巻くように渦巻き状に形成されている排気ガス導入通路２２ａと、中央部分から右方に向かって開口する排気ガス吐出通路２２ｂとを有している。
【００１８】
軸受装置３は、一対の軸受部材３１、３２と、この軸受部材３１、３２を保持する軸受ハウジング３３とから構成されている。
一対の軸受部材３１、３２は、シャフト６を回転自在に支承し、シャフト６のラジアル荷重を受容するもので、オイル潤滑式のフローティングメタルで構成されており、軸受ハウジング３３に対し、軸方向に所定間隔をおいてそれぞれ止め輪３４、３５で抜け止めされて収納されている。
軸受ハウジング３３には、潤滑油が供給されるオイル注入口３３ａが天方向に設けられ、潤滑油が排出されるオイル排出口３３ｂが地方向に設けられている。そして、オイル注入口３３ａから分岐する油路３３ｃ、３３ｄが、それぞれ軸受部材３１、３２の給油口に連結されている。図示しないオイルポンプから給送される潤滑油は、オイル注入口３３ａから油路３３ｃ、３３ｄを経由して軸受部材３１、３２に供給される。
【００１９】
そして、排気タービン２と軸受装置３とは、タービンハウジング２２の左方側端と軸受ハウジング３３の右方側端とがインシュレータ７を介して凹凸嵌合しており、止め輪８によって結合されている。また、軸受ハウジング３３とシャフト６との間はシールリング９によって油密にされている。
【００２０】
アシストタービン４は、液圧（例えば油圧）で駆動されるもので、所要の運転領域においてコンプレッサ５を増速回転させるものであり、回転側のタービン部材４１と、固定側のノズル部材４２と、タービン部材４１およびノズル部材４２を収納するアシストハウジング４３とから構成されている。
タービン部材４１は、周方向に複数枚のタービンブレード４１ａを有しており、シャフト６に後述のごとき手段にて取付けられている。
ノズル部材４２は、タービンブレード４１ａの数に応じて設けられた複数の噴孔４２ａを有しており、高圧の潤滑油をタービン部材４１に向けて噴射してタービン部材４１を回転させるもので、アシストハウジング４３に固定されている。
アシストハウジング４３には、油が供給されるオイル注入口４３ａが天方向に設けられており、このオイル注入口４３ａから油路４３ｂを経由してノズル部材４２に油が供給される。この油を排出するためのオイル排出口４３ｃは、軸受ハウジング３３のオイル排出口３３ｂに開放している。
【００２１】
アシストタービン４の駆動源である油は、エンジンの潤滑油を活用することができ、アシストタービン４への油の供給は、一例として、図示しないオイルポンプ（軸受装置３の潤滑油用オイルポンプと共用であっても良い）から図示しない蓄圧装置および制御装置を介して行われる。蓄圧装置は、高圧油を貯留しておくものであり、制御装置は、例えば、蓄圧装置・アシストタービン４間の油路を開閉する電磁式開閉弁と、アシスト機能を必要とする運転領域において電磁式開閉弁に油路開放信号を送出する電子装置で構成される。
【００２２】
コンプレッサ５は、排気タービン２により回転駆動されてエンジンの吸入空気を圧縮するもので、コンプレッサインペラ５１と、このコンプレッサインペラ５１を収納するコンプレッサハウジング５２とから構成されている。
コンプレッサインペラ５１は、シャフト６に嵌挿される円錐状の本体部５１ａを有しており、この本体部５１ａには周方向に複数枚のコンプレッサブレード５２ｂが設けられている。
コンプレッサハウジング５２には、中央部分から左方に向かって開口する吸気導入通路５２ａ、渦巻き状のコンプレッサ通路５２ｂ、および、吸気導入通路５２ａとコンプレッサ通路５２ｂとを連通する送出通路５２ｃが形成されている。
【００２３】
しかして、アシストタービン４は、軸受装置３の軸方向外側において、特に本実施例では軸受装置３とコンプレッサ５との間においてシャフト６上に配置されている。その配置構造について、図３をも参照しながら以下に説明する。
【００２４】
一端（右端）にタービンロータ２１が固定されているシャフト６は、軸受装置３で支承される大径部分６１と、それより他端（左端）側の径の細い小径部分６２と、これらの両部分６１、６２を区画する段付部６３とを有する段付軸になっており、小径部分６２の先端にねじ部６４（結合手段の一例）が形成されている。
【００２５】
シャフト６の小径部分６２には、段付部６３とねじ部６４との間に、アシストタービン４のタービン部材４１、第１のスラストカラー１０、円盤状のスラスト軸受１１、第２のスラストカラー１２、およびコンプレッサ５のコンプレッサインペラ５１が順次嵌挿されており、これらの部品は、最後にナット１３（結合手段の一例）をねじ部６４に締め付けることで、シャフト６の段付部６３に対し軸方向に締付固定されている。かくして、タービン部材４１およびコンプレッサインペラ５１は、軸方向の一端がシャフト６の段付部６３によって位置決めされ、軸方向の他端がシャフト６の結合手段（ねじ部６４およびナット１３）によって位置決めされる。
【００２６】
軸受装置３とアシストタービン４とは、軸受ハウジング３３の左端側とアシストハウジング４３の右端側とがシールリング１４を介して油密に凹凸嵌合することによって連結されている。
また、アシストタービン４とコンプレッサ５とは、アシストハウジング４３の左端側とコンプレッサハウジング５２の右端側とがシールリング１５を介して気密に凹凸嵌合することによって連結されている。
【００２７】
なお、アシストタービン４のアシストハウジング４３には、コンプレッサ５側に凹所４３ｄが設けられており、この凹所４３ｄに第１、第２のスラストカラー１０、１２およびスラスト軸受１１を含む関係部品が収納されている。この関係部品は、シャフト６のスラスト荷重を受容するスラスト軸受機構を構成するもので、オイル潤滑式のフローティングメタルをなすスラスト軸受１１は、第１のスラストカラー１０と第２のスラストカラー１２との間に潤滑用の隙間を形成して挟持されている。スラスト軸受１１の外周縁部とスラストカバー１６との間にはバッフルプレート（オイル排出部材）１７を介在させている。
【００２８】
スラストカバー１６は、スラスト軸受機構とコンプレッサ５の内部とを油密に区画する隔壁を兼務しており、内周側がシールリング１８を介して第２のスラストカラー１２の外周面に嵌合すると共に、外周側がシールリング１９を介して凹所４３ｄの内周面に嵌入しており、止め輪２０で抜け止めされている。第２のスラストカラー１２は、左端部がスラストカバー１６より軸方向に突出し、コンプレッサインペラ５１を受け止めている。スラスト軸受機構には、通常、軸受装置３のオイル注入口３３ａから図示しない油路を経由して潤滑油が供給される。
【００２９】
（作用）
次に、本発明の実施例１によるターボチャージャ１の作用を説明する。
ターボチャージャ１は、排気タービン２がエンジンから排出される排気ガスの流路に配置され、コンプレッサ５がエンジンの燃焼室へ空気を供給する吸入空気通路に配置される。
排気ガスが排気タービン２に導入されると、排気ガス導入通路２２ａから流入して排気ガス吐出通路２２ｂから流出する排気ガス流のもつエネルギーによりタービンロータ２１が回転し、シャフト６を介してコンプレッサ５のコンプレッサインペラ５１が回転駆動される。
コンプレッサ５は、コンプレッサインペラ５１の回転により、エンジンの吸入空気を吸気導入通路５２ａから吸い込み、送出通路５２ｃ、コンプレッサ通路５２ｂを経由して加圧圧縮してエンジンの燃焼室に送り込む。かくして、所望の過給効果が得られる。
【００３０】
一方、過給効果が不足する運転領域、例えば、排気ガス量の少ない低回転運転領域、および急加速時のごとき過渡運転領域においては、アシストタービン４に高圧油が供給される。高圧油は、オイル注入口４３ａからノズル部材４２に導かれその噴孔４２ａから噴出してタービン部材４１を回転させる。これにより、シャフト６の回転が上昇し、コンプレッサ５のコンプレッサインペラ５１を増速回転させるため、コンプレッサ５による過給機能が向上し、過給効果不足を補うことができる。
【００３１】
（効果）
上記の構成による実施例１のターボチャージャ１は、以下の効果を奏する。
（１）アシストタービン４を軸受装置３の軸方向外側に配置しているため、タービン部材４１が軸受装置３の軸受部材３１、３２と干渉することがなく、タービン部材４１の外径を自由に選定することができる。アシストタービン４の性能は、一義的にはタービン部材４１の径の大きさに支配されるため、アシストタービン４の諸元を常に所望のアシスト効果が得られるように適宜選定することが可能となる。
【００３２】
（２）アシストタービン４を、特に、軸受装置３とコンプレッサ５との間に配置しているため、熱的にきわめて有利である。つまり、排気タービン２は高熱の排気ガスが導入されるため、構成部品が高価な耐熱材で作製されているのに対し、軸受装置３のスペース分離隔し熱的影響が緩和されるため、構成部品の材質としてはアルミ合金のごとき安価な材料を用いることができ、ターボチャージャ１全体としての価格低減に大きく貢献できる。
【００３３】
（３）アシストタービン４を軸受装置３の軸方向外側に配置しているため、アシストタービン４は勿論のこと、ターボチャージャ1全体の分解・再組み立てを容易に行うことができる。この分解・再組み立ての容易性は、製作過程での部品の交換組付け、市場での修理を可能にし、そもそも高価な装置であるターボチャージャ１自体の商品性を大いに向上することができる。
【００３４】
ここで、上記の分解・再組み立ての容易性について、その一例を図３に示す分解図に基づいて説明する。なお、図中の（ａ）〜（ｅ）は、説明の便宜上、組付過程を工程順に５分割した場合における第１工程〜第５工程を示している。
【００３５】
まず、第１工程（ａ）において、シャフトアッシ６Ａが用意される。このシャフトアッシ６Ａは、一端（右端）にタービンロータ２１を適宜の固定手段により取付固定したシャフト６、およびこのシャフト６にシールリング９を装着したものである。
【００３６】
続く第２工程（ｂ）において、シャフトアッシ６Ａに対し、シャフト６の他端（左端）側からインシュレータ７および軸受装置３を嵌め入れ、軸受部材３１、３２をシャフト６の大径部分６１に配置する。この軸受部材３１、３２は、あらかじめ軸受ハウジング３３に装入され、止め輪３４、３５によって抜け止めされている。また、軸受ハウジング３３には、シールリング１４が装着されている。
【００３７】
次いで、第３工程（ｃ）において、シャフトアッシ６Ａに対し、アシストタービン４を組み込む。具体的には、まずシャフト６の小径部分６２にアシストタービン４を嵌挿し、その際、タービン部材４１をシャフト６の小径部分６２に段付部６３に突き当たるようにして嵌め入れると共に、その上からアシストハウジング４３を嵌挿する。このアシストハウジング４３には、あらかじめノズル部材４２が取付固定されると共に、凹所４３ｄの内外周側にシールリング１５、１９がそれぞれ装着されている。
【００３８】
そして、第４工程（ｄ）において、シャフトアッシ６Ａに対し、スラスト軸受機構を構成する各部品を組み付ける。具体的には、シャフト６の小径部分６２に、第１のスラストカラー１０、スラスト軸受１１、およびシールリング１８を装着した第２のスラストカラー１２を、順次嵌挿しながら、これらの部品をアシストハウジング４３の凹所４３ｄ内に収納する。同様に、バッフルプレート１７、スラストカバー１６をアシストハウジング４３の凹所４３ｄに嵌め込み、止め輪２０で抜け止めする。
【００３９】
最後に、第５工程（ｅ）として、コンプレッサ５のコンプレッサインペラ５１をシャフト６の小径部分６２に対し第２のスラストカラー１２に突き当たるようにして嵌挿し、シャフト６をタービンロータ２１の多角ボルト状頭部２１ｃで保持（回り止め）しながら、ナット１３をシャフト６のねじ部６４に締め付ける。これにより、シャフト６に嵌挿してあるタービン部材４１、第１のスラストカラー１０、第２のスラストカラー１２、およびコンプレッサインペラ５１を、段付部６３に対して軸方向から押圧し、シャフト６にしっかりと固定することができる。かくして、図２に示すサブアッシ１Ａが完成する。
【００４０】
上述のごとく、シャフト６に対して各構成部品を一方向から順次組付ける一方向組付けを実現できると共に、アシストタービン４のタービン部材４１からコンプレッサ５のコンプレッサインペラ５１までのすべての回転部材をシャフト６に対し脱着自在に取付固定することができる。
したがって、図２に示すサブアッシ１Ａの状態で実施する回転バランス調整作業において、調整不良が生じた場合には、ナット１３を外すだけで簡単に良品の部品と交換する対応がとれる。
また、市場で故障や経年劣化・損耗により修理や部品交換が必要な場合にも、ナット１３を脱着するだけの簡単な作業で同様に対応することができる。
なお、図２に示すサブアッシ１Ａに、排気タービン２のタービンハウジング２２およびコンプレッサ５のコンプレッサハウジング５２を組付けることにより、図１に示すターボチャージャ１が完成する。
【００４１】
［変形例］
以上、実施例１について詳述したが、アシストタービン４の配置やシャフト６に設ける着脱自在な結合手段は、本発明の精神を逸脱しない範囲で種々変更することができるものであり、その一部について説明する。
【００４２】
（１）アシストタービン４の配置は、軸受装置３の軸方向外側であればアシストタービン４の設計自由度を確保できることから、排気タービン２と軸受装置３との間に配置しても良い。この場合には、タービン部材４１を独立してシャフト６に取付けることになるが、図３のシャフトアッシ６Ａの状態で組付けることができるため、タービン部材４１が軸受部材３１、３２と干渉することがなく、シャフト６に対し着脱自在に組付けることもできる。
（２）シャフト６の結合手段は、シャフト６の右端側を雌ねじ付きの筒部とし、頭部付きのボルトで締付固定する手段であっても良い。
【符号の説明】
【００４３】
１…ターボチャージャ、２…排気タービン、３…軸受装置、４…アシストタービン、５…コンプレッサ、６…シャフト、１３…ナット（結合手段）、２１…タービンロータ、３１、３２…軸受部材、４１…タービン部材、５１…コンプレッサインペラ、６１…大径部分、６２…小径部分、６３…段付部、６４…ねじ部（結合手段）。
【図１】
2013221471.tif 000003
【図２】
2013221471.tif 000004
【図３】
2013221471.tif 000005